(57)【要約】【課題】扱いやすく効率よく除塵することができる電気掃除機用のブラシノズルおよびそれを備えた電気掃除機を提供すること。【解決手段】被清掃面上の塵埃を含む空気を吸い込むノズル口を有するノズル本体と、被清掃面に対して垂直方向の軸心を中心として回転可能に前記ノズル本体内に設けられたタービンブラシとを備え、  前記ノズル口が前記タービンブラシの周囲に配置されると共に、前記ノズル本体内に流入する気流によって前記タービンブラシが回転するように構成されたことを特徴とする電気掃除機用のブラシノズル。【選択図】図３
2020127634.tif 000002
【特許請求の範囲】
【請求項１】
被清掃面上の塵埃を含む空気を吸い込むノズル口を有するノズル本体と、被清掃面に対して垂直方向の軸心を中心として回転可能に前記ノズル本体内に設けられたタービンブラシとを備え、
前記ノズル口が前記タービンブラシの周囲に配置されると共に、前記ノズル本体内に流入する気流によって前記タービンブラシが回転するように構成されたことを特徴とする電気掃除機用のブラシノズル。
【請求項２】
前記タービンブラシは、前記軸心上に設けられた軸部と、前記軸部に連結されたタービン部とを有し、
前記ノズル本体は、外壁部と、前記タービンブラシを収容するよう前記外壁部の内部に設けられた凹状の内壁部と、前記外壁部と前記内壁部とを連結するフランジ部と、前記フランジ部に設けられた前記ノズル口と、被清掃面から離れた空気を吸い込むように前記外壁部に設けられた第１空気導入口と、前記内壁部に設けられた第２空気導入口と、前記第１空気導入口から導入された空気を前記第２空気導入口に導く導風路と、前記第２空気導入口を介して前記内壁部内に導入された空気を排出する前記内壁部に設けられた空気流出口とを有し、
前記内壁部内の前記タービンブラシの前記タービン部を気流によって回転させるように構成された請求項１に記載のブラシノズル。
【請求項３】
前記空気流出口が、前記軸心方向から視て、前記第２空気導入口から前記タービン部の回転方向に位置ずれして配置されている請求項２に記載のブラシノズル。
【請求項４】
前記タービンブラシは、前記軸心上に設けられた軸部と、前記軸部に連結されたブラシ部とを有し、
前記ブラシ部は、前記軸心を中心として環状に配置された複数のブラシ毛を有すると共に、前記複数のブラシ毛が被清掃面と接触する先端側に向かって外側へ傾斜した外開きとなっている請求項１〜３のいずれか１つに記載のブラシノズル。
【請求項５】
前記ノズル本体の前記外壁部における前記ノズル口の周囲の端縁部に沿って補助ブラシまたは弾性体が設けられている請求項２または３に記載のブラシノズル。
【請求項６】
前記ノズル本体は、掃除機本体が有する接続口と直接または接続具を介して接続可能な接続管部を有し、
前記接続管部は、前記タービンブラシが被清掃面に当接した状態において被清掃面に対して傾斜するよう屈曲している請求項１〜５のいずれか１つに記載のブラシノズル。
【請求項７】
前記タービンブラシは、前記軸部の被清掃面側の端部に遮蔽板を有している請求項４に記載のブラシノズル。
【請求項８】
被清掃面上の塵埃を含む空気を吸い込むノズル口を有するノズル本体と、被清掃面に対して垂直方向の軸心を中心として回転可能に前記ノズル本体内に設けられたブラシと、前記ノズル本体内に設けられた駆動モータとを備え、
前記ノズル口が前記ブラシの周囲に配置されると共に、前記駆動モータによって前記ブラシが回転するように構成されたことを特徴とする電気掃除機用のブラシノズル。
【請求項９】
掃除機本体と、前記掃除機本体と接続される請求項１〜８のいずれか１つに記載のブラシノズルとを備えた電気掃除機。
【発明の詳細な説明】
【技術分野】
【０００１】
本発明は、電気掃除機用のブラシノズルおよびそれを備えた電気掃除機に関する。
【背景技術】
【０００２】
従来の電気掃除機として、車輪を有する掃除機本体と、掃除機本体に着脱可能に接続される可撓性ホースと、可撓性ホースに着脱可能に接続される延長管と、延長管に着脱可能に接続される床面清掃用の吸込口体とを備えたキャニスター型電気掃除機がある。また、このような従来のキャニスター型電気掃除機には、床面上の電気コードが集まった箇所や、小物が置かれた棚上など吸込口体では清掃しにくい場所を清掃する場合のアタッチメントとして、可撓性ホースの先端に着脱可能なブラシノズルが付属されている場合がある。
【０００３】
例えば、特許文献１には、可撓性ホースの先端に着脱可能なブラシノズルを備えたキャニスター型電気掃除機が開示されている。この電気掃除機は、ブラシノズルから塵埃を含む空気を吸引し、二重管構造を介して集塵部にて塵埃を捕捉し、排気風の一部を二重管構造を介して循環してブラシノズルの中心部から吹き出して被清掃面上の塵埃を吹き飛ばし、中心部の周囲部から塵埃を吸い込んで除塵できるように構成されている。
【先行技術文献】
【特許文献】
【０００４】
【特許文献１】特開２００２−２１９０７９号公報
【発明の概要】
【発明が解決しようとする課題】
【０００５】
二重管構造を備えた従来の電気掃除機は、構造が複雑となる、ブラシノズルや可撓性ホース等が大型化し重量が増加してブラシノズルが扱いにくくなる、ブラシノズルから吹き出す風によって塵埃がブラシノズルの周囲へ飛散する場合がある、被清掃面に付着した塵埃によってはブラシノズルから吹き出す風によっても被清掃面から浮き上がらせることができない場合がある、ブラシノズルのブラシで被清掃面を掃いて塵埃を浮き上がらせる際に塵埃を周囲へ掃き飛ばしてしまうことがある等の課題を有している。
【０００６】
本発明は、このような課題に鑑みなされたものであり、扱いやすく効率よく除塵することができる電気掃除機用のブラシノズルおよびそれを備えた電気掃除機を提供することを目的とする。
【課題を解決するための手段】
【０００７】
本発明によれば、被清掃面上の塵埃を含む空気を吸い込むノズル口を有するノズル本体と、被清掃面に対して垂直方向の軸心を中心として回転可能に前記ノズル本体内に設けられたタービンブラシとを備え、
前記ノズル口が前記タービンブラシの周囲に配置されると共に、前記ノズル本体内に流入する気流によって前記タービンブラシが回転するように構成された電気掃除機用のブラシノズルが提供される。
また、本発明によれば、被清掃面上の塵埃を含む空気を吸い込むノズル口を有するノズル本体と、被清掃面に対して垂直方向の軸心を中心として回転可能に前記ノズル本体内に設けられたブラシと、前記ノズル本体内に設けられたモータとを備え、
前記ノズル口が前記ブラシの周囲に配置されると共に、前記モータによって前記ブラシが回転するように構成されたブラシノズルが提供される。
また、本発明によれば、掃除機本体と、前記掃除機本体と接続される前記ブラシノズルとを備えた電気掃除機が提供される。
【発明の効果】
【０００８】
本発明によれば、清掃時において、気流またはモータによってブラシを被清掃面に対して垂直方向の軸心を中心として回転させ、回転するブラシによって被清掃面上の塵埃を浮き上がらせ、浮き上がった塵埃をブラシの周囲のノズル口から吸引除去することができるため、簡素な構造で、かつ、効率よく除塵することができる。
【図面の簡単な説明】
【０００９】
【図１】本発明の電気掃除機の第１実施形態の各構成部を示す斜視図である。
【図２】第１実施形態のブラシノズルの一部断面正面図である。
【図３】第１実施形態のブラシノズルの一部断面左側面図である。
【図４】第１実施形態のブラシノズルにおけるタービンブラシユニットを上方から視た斜視図である。
【図５】第１実施形態のブラシノズルにおけるタービンブラシユニットを下方から視た斜視図である。
【図６】第１実施形態のブラシノズルにおけるタービンブラシが回転する様子を説明する図である。
【図７】第１実施形態のブラシノズルの第１変形例の一部を示す断面正面図である。
【図８】第１実施形態のブラシノズルの第２変形例の一部を示す断面正面図である。
【図９】第１実施形態のブラシノズルの第３変形例の一部を示す底面図である。
【図１０】第１実施形態のブラシノズルの第４変形例の一部を示す底面図である。
【図１１】第２実施形態のブラシノズルの（Ａ）は一部断面正面図、（Ｂ）は一部断面左側面図である。
【図１２】第３実施形態の電気掃除機の各構成部を示す斜視図である。
【発明を実施するための形態】
【００１０】
（第１実施形態）
＜電気掃除機の全体構成について＞
図１は本発明の電気掃除機の第１実施形態の各構成部を示す斜視図である。
この電気掃除機１は、車輪を有するキャニスター型の掃除機本体１０と、掃除機本体１０に着脱可能に接続される接続具としての可撓性ホース２０と、可撓性ホース２０に着脱可能に接続される接続具としての延長管３０と、延長管３０に着脱可能に接続される吸込口体４０とを備えると共に、可撓性ホース２０に着脱可能に接続されるアタッチメントとしてのブラシノズル５０を備える。
【００１１】
掃除機本体１０は、電動送風機（不図示）を内蔵する駆動装置１１と、駆動装置１１に着脱可能に装着される集塵装置１２とを有する。
駆動装置１１は、その後部に商用電源に接続可能なコードリールまたはバッテリを有すると共に、前部には集塵装置１２を着脱可能に載置する載置部を有し、その装着部の前部に接続部１１ａが設けられている。
集塵装置１２は、駆動装置１１の接続部１１ａと接続可能な集塵容器と、集塵容器に着脱可能に装着されるフィルター部とを有する。なお、本実施形態の集塵装置１２は、サイクロン方式であるが、使い捨ての紙パック方式であってもよい。
【００１２】
可撓性ホース２０は、ホース本体２１と、ホース本体２１の気流が流れる方向（気流方向）の上流側端部に設けられた操作部２２とを有する。
ホース本体２１の気流方向の下流側端部には、駆動装置１１の接続部１１ａと着脱可能に接続される接続部２１ａが設けられている。
操作部２２は、ハンドル２２ａと、ハンドル２２ａの気流方向の上流側に設けられた複数のスイッチ２２ｂ、２２ｃと、スイッチ２２ｃの気流方向の上流側に設けられた接続部２２ｄとを有する。
【００１３】
延長管３０は、気流方向の下流側に配置される外筒部３１と、気流方向の上流側に配置される内筒部３２とを有し、外筒部３１と内筒部３２が互いに長手方向にスライドして長さ調整をすることができる。
外筒部３１の気流方向の下流側には、可撓性ホース２０の接続部２２ｄと着脱可能に接続される接続部３１ａが設けられている。
内筒部３２の気流方向の上流側には、吸込口体４０の後述する接続管部４３と着脱可能に接続される接続部３２ａが設けられている。
【００１４】
吸込口体４０は、被清掃面と対向する吸込口（不図示）を有する吸込口本体４１と、吸込口本体４１に連結された関節部４２と、関節部４２に連結された前記接続管部４３とを有し、使用状態において接続管部４３が使用者の前後および左右方向に回動できるようになっている。
また、吸込口体４０は、駆動モータによって回転する回転ブラシが吸込口本体４１内に設けられてもよい。この場合、吸込口体４０、延長管３０、可撓性ホース２０および駆動装置１１には、駆動モータに電力を供給する配線経路が設けられ、これらの各構成部が互いに接続するそれぞれの接続部の端面には配線経路の一構成要素としての給電端子および受電端子が設けられる。
【００１５】
＜ブラシノズルについて＞
図２は第１実施形態のブラシノズルの一部断面正面図であり、図３は第１実施形態のブラシノズルの一部断面左側面図である。また、図４は第１実施形態のブラシノズルにおけるタービンブラシユニットを上方から視た斜視図であり、図５は第１実施形態のブラシノズルにおけるタービンブラシユニットを下方から視た斜視図であり、図６は第１実施形態のブラシノズルにおけるタービンブラシが回転する様子を説明する図である。なお、図２および図３において、使用時におけるブラシノズルの前後左右上下方向を矢印にて示している。
【００１６】
図２および図３に示すように、ブラシノズル５０は、被清掃面Ｆ上の塵埃を含む空気を吸い込むノズル口５１ｂｃを有するノズル本体５１と、使用時にノズル本体の下側を被清掃面Ｆに正対させた状態において被清掃面Ｆに対して垂直方向の軸心Ｐを中心として回転可能にノズル本体５１内に設けられたタービンブラシ５２とを備え、ノズル口５１ｂｃがタービンブラシ５２の周囲（タービンブラシ５２の外側）に配置されると共に、ノズル本体５１内に流入する空気Ａ１によってタービンブラシ５２が回転するように構成されている。なお、軸心Ｐの垂直方向とは、多少の傾斜を許容するものである。
【００１７】
［ノズル本体について］
図２〜図６に示すように、ノズル本体５１は、外壁部５１ａと、タービンブラシ５２を収容するよう外壁部５１ａの内部に設けられた凹状の内壁部５１ｂとを有する。
外壁部５１ａは、内壁部５１ｂおよびタービンブラシ５２を収容する略椀形の第１収容部５１ａａと、接続管部とを有する。接続管部は、第１収容部５１ａａの内部に連通するよう連結した屈曲形の首部５１ａｂと、首部５１ａｂの気流方向の下流側端部に設けられた首部５１ａｂよりも細い接続部５１ａｃとを有する。
【００１８】
図３に示すように、外壁部５１ａにおいて、首部５１ａｂは、第１収容部５１ａａの上壁に垂直方向に連結されると共に、気流方向（矢印Ａ方向）の下流側に向かって屈曲しており、床面や棚上等を清掃する使用状態においては後方の斜め上方に屈曲した状態で可撓性ホース２０の接続部２２ｄ（図１参照）に接続される。
【００１９】
また、外壁部５１ａにおいて、第１収容部５１ａａの周囲部には第１空気導入口５１ａｄが設けられている。この第１空気導入口５１ａｄは、例えば、首部５１ａｂが傾斜した側である後方位置に配置される。これにより、第１空気導入口５１ａｄがユーザーから目立たなくなると共に、ユーザーがブラシノズル５０をもったときに指で第１空気導入口５１ａｄが塞がれにくくなる。なお、第１空気導入口５１ａｄの役割については後述する。
【００２０】
外壁部５１ａの接続部５１ａｃは、可撓性ホース２０の接続部２２ｄ（図１参照）の円形の接続口内に挿入可能な太さの円筒形に形成されている。また、接続部５１ａｃは、気流方向の下流側に向かって僅かに縮径するテーパ状に形成されてもよい。
吸込口体４０内に駆動モータによって回転する回転ブラシが設けられた電気掃除機１の場合、ブラシノズル５０の接続部５１ａｃを可撓性ホース２０の接続部２２ｄ（図１参照）の接続口内に挿入して接続することにより、接続部５１ａｃと首部５１ａｂとの段差面によって接続部２２ｄの端面側に露出する不図示の給電端子（給電端子口）が塞がれる。これにより、ブラシノズル５０にて塵埃を吸引した際、塵埃が給電端子に付着しにくくなる。
【００２１】
内壁部５１ｂは、タービンブラシ５２を収容する略凹形の第２収容部５１ｂａと、第２収容部５１ｂａの開口端部に沿って連設されたフランジ部５１ｂｂと、フランジ部５１ｂｂに周方向に複数（本実施形態では４個）設けられた前記ノズル口５１ｂｃとを有する。
さらに、内壁部５１ｂは、第２収容部５１ｂａの周壁部５１ｂｆに設けられた第２空気導入口５１ｂｄと、第１空気導入口５１ａｄから導入された空気を第２空気導入口５１ｂｄに導く導風路５１ｂｅと、第２空気導入口５１ｂｄを介して内壁部５１ｂ内に導入された空気Ａ１を排出する内壁部５１ｂの円形の天板部５１ｂｇに設けられた一対の空気流出口５１ｂｈとを有する。
【００２２】
導風路５１ｂｅは、第２収容部５１ｂａの周壁部５１ｂｆとフランジ部５１ｂｂに一体形成されている。
なお、この実施形態の場合、外壁部５１ａと内壁部５１ｂは別部材からなり、内壁部５１ｂはタービンブラシ５２と組み合わされてタービンブラシユニット５３としてユニット化されている。ブラシノズル５０の組み立ての際、タービンブラシユニット５３のフランジ部５１ｂｂの外周部Ｒの上端と外壁部５１ａの開口端縁とが接着または融着等によって連結される。この際、タービンブラシユニット５３の導風路５１ｂｅが外壁部５１ａの第１空気導入口５１ａｄに対向するように組み立てられる。
【００２３】
一対の空気流出口５１ｂｈは、図６に示すように、軸心Ｐを中心として１８０°の対向位置に設けられている。また、一対の空気流出口５１ｂｈは、第２空気導入口５１ｂｄの位置と一致しないように軸心Ｐを中心とする周方向に位置をずらして配置されている。さらに、一対の空気流出口５１ｂｈは、第２空気導入口５１ｂｄから周方向に等距離に配置されるのではなく、一方の空気流出口５１ｂｈが他方の空気流出口５１ｂｈよりも近い位置に配置されている。
【００２４】
この実施形態の場合、図６に示すようにタービンブラシ５２を上方から視て、第２空気導入口５１ｂｄに対して、一方の空気流出口５１ｂｈが時計回り方向に中心角度θ１〜θ２の範囲に設けられ、他方の空気流出口５１ｂｈが反時計回り方向に中心角度θ３〜θ４の範囲に設けられており、例えば、θ１は約６０°、θ２は約９０°、θ３は約９０°、θ４は約１２０°となっている。なお、θ１〜θ４は前記範囲に限定されるものではない。
【００２５】
一対の空気流出口５１ｂｈをこのように配置することにより、図２、図３および図６に示すように、吸引時において、第２空気導入口５１ｂｄから第２収容部５１ｂａ内に流入した空気Ａ１は一対の空気流出口５１ｂｈを通って第２収容部５１ｂａの外部に排出される。このとき、空気Ａ１は第２空気導入口５１ｂｄから近い空気流出口５１ｂｈの方へ流れやすいため、後述するタービン部５２ｂが時計回りに回転し始める。なお、ブラシノズル５０の吸引清掃時の動作について、詳しくは後述する。
【００２６】
［タービンブラシについて］
図２〜図６に示すように、タービンブラシ５２は、使用時にノズル本体５１の下側を被清掃面Ｆに正対させた状態において被清掃面Ｆに対して垂直な前記軸心Ｐ上に設けられた軸部５２ａと、軸部５２ａに連結されたタービン部５２ｂと、タービン部５２ｂを介して軸部５２ａに連結されたブラシ部５２ｃと、軸部５２ａの被清掃面Ｆ側の端部に設けられた円形の遮蔽板５２ｄとを有する。
【００２７】
軸部５２ａは、タービンブラシユニット５３の内壁部５１ｂの天板部５１ｂｇの中心位置に設けられた貫通孔に軸受５２ｅを介して回転可能に取り付けられている。なお、軸受５２ｅとしては、すべり軸受、転がり軸受等を用いることができる。
【００２８】
タービン部５２ｂは、軸心Ｐ方向から視て円い凹形の基台部５２ｂａと、基台部５２ｂａの中心に設けられて軸部５２ａを挿入し固定するボス部５２ｂｂと、基台部５２ｂａの上壁部の上面に放射状に設けられた複数の羽根部５２ｂｃとを有し、フェースギア形に形成されている。なお、タービン部５２ｂは、このようなフェースギア形に限定されず、例えば、ベベルギア形のものであってもよい。
タービン部５２ｂのボス部５２ｂｂに軸部５２ａが挿入され固定された状態において、軸部５２ａの下端がボス部５２ｂｂから下方へ突出する。軸部５２ａの下端に遮蔽板５２ｄが設けられており、遮蔽板５２ｄは基台部５２ｂａの周壁部と僅かな隙間をもって基台部５２ｂａ内に収納されている。
【００２９】
ブラシ部５２ｃは、タービン部５２ｂの基台部５２ｂａの下端の開口端縁に沿って環状に配置された複数のブラシ毛を有してなる。なお、図５では一部にのみブラシ毛を図示しているが、上述したように実際には環状にブラシ毛は配置されている。また、複数のブラシ毛は、被清掃面Ｆと接触する先端側に向かって外側へ傾斜した外開きとなっている。また、図３に示すようにブラシ毛の下端（被清掃面側端部）は、ブラシノズル５０の下端外周部（タービンブラシユニット５３のフランジ部５１ｂｂの外周部Ｒの下端）よりも床面側に位置している。このようにすることで、ブラシノズル５０の下端外周部（タービンブラシユニット５３のフランジ部５１ｂｂの外周部Ｒの下端）と被清掃面Ｆとの間に隙間を設けつつブラシを被清掃面に接触させることができる。
また、ブラシノズル５０の下端外周部と被清掃面Ｆとの間に隙間を設けるために、ブラシノズル５０の下端外周部の一部に車輪やボールなどの転がり部、リブやドーム状の凸部を設けてもよい。このようにすることで、使用時にブラシノズル５０の下端外周部と被清掃面Ｆとの間に隙間を設けやすくすることができる。
各ブラシ毛の材質は特に限定されるものではない。細い繊維（例えば、６〜１３デニール程度）を縒り合わせたマルチフィラメントにてブラシ毛を形成すれば柔らかいブラシ部５２ｃを構成することができ、太い繊維（例えば、７０デニール程度）のモノフィラメントにてブラシ毛を形成すれば硬めのブラシ部５２ｃを構成することができる。
【００３０】
＜吸引清掃時のブラシノズルの動作について＞
図１に示すように、被清掃面が床面である場合、吸込口体４０を接続した延長管３０を可撓性ホース２０の接続部２２ｄに接続することにより、効率よく清掃することができる。
一方、被清掃面が床面上の電気コードが集まった箇所、小物が置かれた棚上、棚上の飾り物等の吸込口体４０では清掃しにくい箇所を清掃する場合は、ブラシノズル５０を可撓性ホース２０の接続部２２ｄあるいは延長管３０の接続部３２ａに差し込んで接続することにより、効率よく清掃することができる。
【００３１】
ブラシノズル５０による清掃では、図１〜図６に示すように、駆動装置１１を駆動させることにより、ブラシノズル５０内が負圧となり、被清掃面Ｆから離れた位置にあるブラシノズル５０の第１空気導入口５１ａｄから第２収容部５１ｂａ内に空気Ａ１が流入する。その空気Ａ１は、第２収容部５１ｂａ内で上方から見て反時計回りに流れて一対の空気流出口５１ｂｈから第２収容部５１ｂａの外部に排出され、この間、流れる空気Ａ１にタービン部５２ｂの各羽根部５２ｂｃが当たってタービンブラシ５２が反時計回りに回転する。
【００３２】
また、ブラシノズル５０内が負圧となることにより、タービンブラシ５２の周囲の複数のノズル口５１ｂｃからブラシノズル５０内（外壁部５１ａと内壁部５１ｂとの間の空間Ｓ）に被清掃面Ｆ上の塵埃を含む空気Ａ２が流入する。このとき、ブラシノズル５０の下端外周部（タービンブラシユニット５３のフランジ部５１ｂｂの外周部Ｒの下端）と被清掃面Ｆとの間の隙間の周囲から空気Ａ２が塵埃と共に各ノズル口５１ｂｃへ吸い込まれる。
【００３３】
また、タービンブラシ５２が被清掃面Ｆに接触しながら回転することにより、外開きのブラシ部５２ｃによって被清掃面Ｆに付着した塵埃が外側へ掃き出され、この塵埃はタービンブラシ５２の周囲の複数のノズル口５１ｂｃに流入する空気Ａ２と共にブラシノズル５０内（空間Ｓ）に吸い込まれる。したがって、吸引力（空気Ａ２の流れ）のみでは吸い取りにくい被清掃面Ｆ上の塵埃でも、回転するブラシ部５２ｃによって機械的に被清掃面Ｆを擦って塵埃を浮かすことにより、塵埃をブラシノズル５０の周囲に飛散させることなく吸引除去することができる。
【００３４】
ブラシノズル５０の内部において、タービンブラシ５２を通過した空気Ａ１と複数のノズル口５１ｂｃを通過した塵埃を含む空気Ａ２は空間Ｓ内で合流して首部５１ａｂ内を通過し、合流した空気は可撓性ホース２０を介して掃除機本体１０の集塵装置１２内に流入する。集塵装置１２にて塵埃が捕捉され、塵埃を除去した空気が駆動装置１１の図示しない排気口から外部へ排出される。
このブラシノズル５０によれば、被清掃面Ｆから離れた位置の空気Ａ１をブラシノズル５０内の内壁部５１ｂの第２収容部５１ｂａ内に取り込むため、タービンブラシ５２の軸部５２ａの軸受５２ｅ付近に塵埃としての糸屑や髪の毛等の繊維状物が巻き付いてタービンブラシ５２の回転が妨げられるといった不具合が抑制される。
なお、第１空気導入口５１ａｄと第２空気導入口５１ｂｄと導風路５１ｂｅの少なくとも一ヶ所にフィルターを設けてもよい。このようにすることで、第２収容部５１ｂａ内により塵埃や繊維状物が侵入を抑制することができる。
【００３５】
また、軸部５２ａの下端に遮蔽板５２ｄを設けているため、繊維状物（塵埃）がタービン部５２ｂの下部（凹部内）へ侵入することが抑制される。つまり、遮蔽板５２ｄが無い場合、タービン部５２ｂの凹部内のボス部５２ｂｂに繊維状物が巻き付いたり、ゴミが溜まるおそれがあるが、遮蔽板５２ｄを設けることで、繊維状物のボス部５２ｂｂへの巻き付きが抑制される。なお、タービン部５２ｂは軸部５２ａに固定されているため、仮にボス部５２ｂｂに繊維状物が巻き付いたとしてもタービン部５２ｂの回転は妨げられにくい。
また、タービン部５２ｂとブラシ部５２ｃとが一体的に回転するため、タービン部５２ｂの回転力がプーリおよびベルト等を介さずにダイレクトにブラシ部５２ｃに伝わり、弱い吸引力でもブラシ部５２ｃを効率よく回転させることができる。
【００３６】
（第１実施形態の第１変形例）
図７は第１実施形態のブラシノズルの第１変形例の一部を示す断面正面図である。なお、図７において、図２中の要素と同様の要素には同一の符号を付している。
第１変形例のブラシノズル５０Ａでは、図７に示すように、ノズル本体５１の外壁部５１ａにおけるノズル口５１ｂｃの周囲の端縁部、すなわち、タービンブラシユニット５３のフランジ部５１ｂｂの外周部Ｒの下端に沿って、外開きの円環状補助ブラシ６１が設けられている。
ブラシノズル５０Ａに補助ブラシ６１を設けることにより、ノズル本体５１と被清掃面Ｆとの間の隙間を小さくして吸引力を高めることができる。また、被清掃面Ｆの隅部Ｎに溜まった塵埃を補助ブラシ６１によって掻き出してノズル口５１ｂｃにて吸引することができる。
【００３７】
（第１実施形態の第２変形例）
図８は第１実施形態のブラシノズルの第２変形例の一部を示す断面正面図である。なお、図８において、図２中の要素と同様の要素には同一の符号を付している。
第２変形例のブラシノズル５０Ｂでは、図８に示すように、ノズル本体５１の外壁部５１ａにおけるノズル口５１ｂｃの周囲の端縁部、すなわち、タービンブラシユニット５３のフランジ部５１ｂｂの外周部Ｒの下端に沿って、ゴム、シリコン樹脂等の円環状弾性体６２が設けられている。
ブラシノズル５０Ｂに弾性体６２を設けることによっても、ノズル本体５１と被清掃面Ｆとの間の隙間を小さくして吸引力を高めることができる。また、例えば、被清掃面Ｆの隅部Ｎに壁面Ｗがあっても、弾性体６２が壁面Ｗに当たるため、ノズル本体５１が壁面Ｗに当たって傷を付けることを抑制できる。
【００３８】
（第１実施形態の第３変形例）
図９は第１実施形態のブラシノズルの第３変形例の一部を示す底面図である。なお、図９において、図５中の要素と同様の要素には同一の符号を付している。
第３変形例のブラシノズルでは、図９に示すように、タービンブラシ５２Ｃの遮蔽板５２ｄの被清掃面と対向する面に、軸心Ｐから半径方向に遮蔽板５２ｄの半径と略同じ長さの内側ブラシ部６３が設けられている。
この内側ブラシ部６３を設けることにより、被清掃面におけるブラシ部５２ｃの内側領域を掃いて塵埃をブラシ部５２ｃ側へ送ることができるため、清掃効率が向上する。
【００３９】
（第１実施形態の第４変形例）
図１０は第１実施形態のブラシノズルの第４変形例の一部を示す底面図である。なお、図１０において、図５中の要素と同様の要素には同一の符号を付している。
第４変形例のブラシノズルでは、図１０に示すように、タービンブラシ５２Ｄの遮蔽板５２ｄの被清掃面と対向する面に、軸心Ｐを通る直径方向に遮蔽板５２ｄの直径と略同じ長さの内側ブラシ部６４が設けられている。
この内側ブラシ部６４を設けることによっても、被清掃面におけるブラシ部５２ｃの内側領域を掃いて塵埃をブラシ部５２ｃ側へ送ることができるため、第３変形例と同等以上に清掃効率が向上する。
【００４０】
（第２実施形態）
図１１は第２実施形態のブラシノズルの（Ａ）は一部断面正面図、（Ｂ）は一部断面左側面図である。なお、図１１（Ａ）および（Ｂ）において、図２および図３中の要素と同様の要素には同一の符号を付している。
第１実施形態（図１〜図６）では１つのタービンブラシ５２を有するブラシノズル５０を例示したが、第２実施形態のブラシノズル１５０は２つのタービンブラシ１５２を有する。
この場合、図１１に示すように、ノズル本体１５１の首部５１ａｂおよび接続部５１ａｃは、第１実施形態と形状、長さおよび太さは同等であるが、第１実施形態と比べてノズル本体１５１の第１収容部１５１ａａの左右方向の幅Ｌ１を狭く、かつ、第１収容部１５１ａａの前後方向の長さＬ２を長く設定している。つまり、ノズル本体１５１を前後方向に細長く形成している。
【００４１】
また、２個のタービンブラシ１５２は、第１実施形態と比べて小型化されており、１つのタービンブラシユニット１５３としてユニット化されている。つまり、２つのタービンブラシ１５２をそれぞれ前後位置に収納する２つの第２収容部１５１ｂａを有する１つの内壁部１５１ｂが用意され、この内壁部１５１ｂに２つのタービンブラシ１５２が組み込まれてタービンブラシユニット１５３が構成されている。
【００４２】
このタービンブラシユニット１５３において、複数のノズル口１５１ｂｃが各タービンブラシ１５２の前後位置および左右位置に配置されている。また、タービンブラシユニット１５３において、各タービンブラシ１５２に対応する２つの第２空気導入口１５１ｂｄおよび２つの導風路１５１ｂｅが左右一方側（この場合、左側）に設けられると共に、各タービンブラシ１５２に対応する一対の空気流出口１５１ｂｈが前後位置にそれぞれ設けられている。
【００４３】
また、ノズル本体１５１の外壁部１５１ａにおける収容部１５１ａａの左右一方の側面（この場合、左側面）には、前後の導風路１５１ｂｅと対向する前後位置に一対の第１空気導入口１５１ａｄが設けられている。
第２実施形態のブラシノズル１５０によれば、吸引時には第１実施形態と同様の作用によって、各タービンブラシ１５２がそれぞれ回転して被清掃面上の塵埃を掃き、掃かれた塵埃が空気と共に各タービンブラシ１５２の周囲に配置された複数のノズル口１５１ｂｃから吸引され除去される。第２実施形態の場合、特に、狭い隙間内の清掃を効率よく行うのに適している。
【００４４】
（第３実施形態）
図１２は第３実施形態の電気掃除機の各構成部を示す斜視図である。
第１実施形態（図１参照）では、キャニスター型電気掃除機１のアタッチメントとしてのブラシノズル５０を例示したが、図１２に示すように、スティック型電気掃除機１０１のアタッチメントとしてブラシノズル５０を用いることもできる。
図１２に示すスティック型電気掃除機１０１の場合、掃除機本体１１０と、掃除機本体１１０に着脱可能に接続される接続具としての延長管１３０と、延長管１３０に着脱可能に接続される吸込口体１４０とを備えると共に、掃除機本体１１０に着脱可能に接続されるアタッチメントとしてのブラシノズル５０を備える。
【００４５】
掃除機本体１１０は、電動送風機（不図示）を内蔵すると共に、電動送風機に電力を供給するバッテリ１１３を着脱可能に装着する駆動装置１１１と、駆動装置１１１に着脱可能に装着される集塵装置１１２とを有する。
駆動装置１１１は、延長管１３０と着脱可能に前端に設けられた接続部１１１ａと、後端に設けられたハンドル１１１ｂおよびスイッチ１１１ｃとを有している。
集塵装置１１２は、集塵容器と、集塵容器に着脱可能に装着されるフィルター部とを有する。なお、本実施形態の集塵装置１１２は、サイクロン方式であるが、使い捨ての紙パック方式であってもよい。
【００４６】
延長管１３０は、掃除機本体１１０の接続部１１１ａと着脱可能に気流方向の下流側端部に設けられた接続部１３０ａと、吸込口体１４０の後述する接続管部１４３と着脱可能に接続される気流方向の上流側端部に設けられた接続部１３０ｂとを有する。
吸込口体１４０は、第１実施形態１と同様の、吸込口本体１４１、関節部１４２および接続管部１４３とを有する。
【００４７】
このスティック型電気掃除機１０１の場合も、被清掃面が床面である場合、吸込口体１４０を接続した延長管３０を掃除機本体１１０の接続部１１１ａに接続することにより、効率よく清掃することができる。
一方、被清掃面が床面上の電気コードが集まった箇所、小物が置かれた棚上、棚上の飾り物等の吸込口体１４０では清掃しにくい箇所を清掃する場合は、ブラシノズル５０を掃除機本体１１０の接続部１１１ａあるいは延長管１３０の接続部１３０ｂに差し込んで接続することにより、効率よく清掃することができる。
【００４８】
（他の実施形態）
１．第２実施形態のブラシノズル１５０に、第１実施形態の第１〜第４変形例を適宜組み合わせてもよい。
２．第１実施形態では、平面的に視て、タービン部５２ｂの回転軌跡の接線に対して直角方向から空気Ａ１が流入するように導風路５１ｂｅが設けられた場合を例示したが、タービン部５２ｂ回転軌跡に対する接線方向から空気が流入するように導風路５１ｂｅが設けられてもよい。
３．第１実施形態では、タービンブラシ５２に対して空気流出口５１ｂｈが２つ設けられた場合を例示したが、空気流出口５１ｂｈは１つでもよい。この場合、空気流出口５１ｂｈを中心角度１８０°付近を避けた位置に設けることが、タービン部５２ｂの回転効率を高める上で好ましい。
【００４９】
４．第１〜第３実施形態ではタービンブラシ５２の軸部５２ａにタービン部５２ｂを固定した場合を例示したが、軸部５２ａにタービン部５２ｂを軸受を介して回転可能に連結してもよい。またこの場合、軸部５２ａを内壁部５１ｂに固定してもよい。
５．第１〜第３実施形態ではタービンブラシ５２に流れ込む空気を被清掃面Ｆから離れた位置から取り込むようにブラシノズル５０を構成した場合を例示したが、被清掃面Ｆ付近から流れ込む空気によってタービンブラシ５２を回転させるように構成してもよい。この場合、例えば、第１および第２空気導入口５１ａｄ、５１ｂｄを塞ぎ、導風路５１ｂｅおよび遮蔽板５２ｄを省略し、タービン部５２ｂの上壁部に複数のスリットを形成することにより複数の羽根部を形成し、複数のスリットを流れる空気によってタービン部を回転させるようにする。なおこの場合、軸部５２ａに塵埃の繊維状物が巻き付いてタービン部の回転が妨げられることを抑制する軸部５２ａの内壁部５１ｂへの枢着構造を設けることが好ましい。
６．第１〜第３実施形態では、タービンブラシを有するブラシノズルを例示したが、タービンブラシの代わりに駆動モータによりブラシを回転させるブラシノズルとしてもよい。この駆動モータを備えたブラシノズルの場合、接続先である電気掃除機の駆動装置、可撓性ホースあるいは延長管の各接続部の給電端子と機械的および電気的に接続可能な受電端子がノズル本体の接続部に設けられると共に、受電端子と駆動モータとを電気的に接続する配線経路がノズル本体内に設けられる。またこの場合、第１〜第３実施形態におけるタービンブラシを収容した第２収容部に対する気流の通風経路（第１空気導入口、導風路、第２空気導入口および空気流出口）を省略してもよいが、通風経路を残し、第２収容部内に収容した駆動モータに気流を当てて冷却するようにしてもよい。またこの場合、矛盾を生じない限り、第１〜第３実施形態および他の実施形態１〜５の内容を、組み合わせてもよい。
【００５０】
（まとめ）
本発明の電気掃除機用のブラシノズルは、被清掃面上の塵埃を含む空気を吸い込むノズル口を有するノズル本体と、被清掃面に対して垂直方向の軸心を中心として回転可能に前記ノズル本体内に設けられたタービンブラシとを備え、
前記ノズル口が前記タービンブラシの周囲に配置されると共に、前記ノズル本体内に流入する気流によって前記タービンブラシが回転するように構成されたものである。
この構成によれば、吸引力によってタービンブラシを回転させ、回転するタービンブラシによって被清掃面上の塵埃を機械的に擦って浮き上がらせ、浮き上がった塵埃をタービンブラシの周囲のノズル口から吸引除去することができるため、簡素な構造で、かつ、効率よく除塵することができる。特に、床面上の電気コードが集まった箇所や、棚上および棚上の置物（小物、飾り物等）の掃除に効果的である。
また、タービンブラシの回転には駆動用モータおよび電源が不要であり、ノズル本体内の気流によって効率よくタービンブラシを回転させることができる。
また、タービンブラシを回転させる風が流れる風路を確保すれば、様々な接続部形状にも対応することができ、設計の自由度が大きい。
【００５１】
本発明の電気掃除機用のブラシノズルは、次のように構成されてもよく、それらが適宜組み合わされてもよい。
【００５２】
・前記タービンブラシは、前記軸心上に設けられた軸部と、前記軸部に連結されたタービン部とを有し、
前記ノズル本体は、外壁部と、前記タービンブラシを収容するよう前記外壁部の内部に設けられた凹状の内壁部と、前記外壁部と前記内壁部とを連結するフランジ部と、前記フランジ部に設けられた前記ノズル口と、被清掃面から離れた空気を吸い込むように前記外壁部に設けられた第１空気導入口と、前記内壁部に設けられた第２空気導入口と、前記第１空気導入口から導入された空気を前記第２空気導入口に導く導風路と、前記第２空気導入口を介して前記内壁部内に導入された空気を排出する前記内壁部に設けられた空気流出口とを有し、
前記内壁部内の前記タービンブラシの前記タービン部を気流によって回転させるように構成されてもよい。
この構成によれば、タービン部には被清掃面から離れた空気が流入するため、タービン部に塵埃が流入しにくくなり、軸部に繊維物が巻き付いてタービン部の回転が妨げられることを抑制できる。
【００５３】
・前記空気流出口が、前記軸心方向から視て、前記第２空気導入口から前記タービン部の回転方向に位置ずれして配置されてもよい。
この構成によれば、タービン部を効率よく回転させることができる。
【００５４】
・前記タービンブラシは、前記軸心上に設けられた軸部と、前記軸部に連結されたブラシ部とを有し、
前記ブラシ部は、前記軸心を中心として環状に配置された複数のブラシ毛を有すると共に、前記複数のブラシ毛が被清掃面と接触する先端側に向かって外側へ傾斜した外開きとなってもよい。
この構成によれば、被清掃面上の塵埃を回転するブラシ部によって外側へ掃き出してブラシ部周囲のノズル口から吸引除去することができる。そのため、ブラシノズルの外部へは塵埃が飛散しにくくなっている。
【００５５】
・前記ノズル本体の前記外壁部における前記ノズル口の周囲の端縁部に沿って補助ブラシまたは弾性体が設けられてもよい。
この構成によれば、補助ブラシまたは弾性体によってノズル本体と被清掃面との間の隙間を小さくして吸引力を高めることができる。また、補助ブラシは、被清掃面の隅部に溜まった塵埃をノズル口にて吸引しやすくするよう掻き出す機能も有する。また、弾性体は被清掃面付近の壁面等にノズル本体が当たって傷を付けないようクッション性を有するバンパーとして機能する。
【００５６】
・前記ノズル本体は、掃除機本体が有する接続口と直接または接続具を介して接続可能な接続管部を有し、
前記接続管部は、前記タービンブラシが被清掃面に当接した状態において被清掃面に対して傾斜するよう屈曲しているものであってもよい。
この構成によれば、ブラシノズルを取り付けた吸引部（掃除機本体または掃除機本体と接続した接続具）を持つユーザーは手首を捻ることなく自然な姿勢で清掃することができる。
【００５７】
・前記タービンブラシは、前記軸部の被清掃面側の端部に遮蔽板を有していてもよい。
この構成によれば、被清掃面上の塵埃の軸部側への舞い上がりを遮蔽板によって遮ることができるため、繊維状物の軸部への巻き付きを抑制することができる。
【００５８】
・前記タービンブラシは、前記遮蔽板の被清掃面と対向する面に内側ブラシ部を有するものであってもよい。
この構成によれば、被清掃面における円環状ブラシ部の内側領域を内側ブラシ部によって掃くことができるため、清掃効率が向上する。
【００５９】
・前記タービンブラシが前記ノズル本体内に複数設けられてもよい。
この構成によれば、ブラシノズルを細長く形成して狭い隙間内を効率よく清掃することが可能となる。
【００６０】
また、本発明のブラシノズルは、被清掃面上の塵埃を含む空気を吸い込むノズル口を有するノズル本体と、被清掃面に対して垂直方向の軸心を中心として回転可能に前記ノズル本体内に設けられたブラシと、前記ノズル本体内に設けられた駆動モータとを備え、
前記ノズル口が前記ブラシの周囲に配置されると共に、前記駆動モータによって前記ブラシが回転するように構成されたものであってもよい。
この構成によれば、モータにてブラシを高速回転させることができるため、被清掃面に付着した塵埃を効率よく掃き、かつ、ブラシの周囲外側のノズル口にて塵埃を吸引することができる。
【００６１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６２】
１、１０１  電気掃除機
１０、１１０  掃除機本体
５０、５０Ａ、５０Ｂ、１５０  ブラシノズル
５１、１５１  ノズル本体
５１ａ、１５１ａ  外壁部
５１ａｂ、１５１ａｂ  接続管部の首部
５１ａｃ、１５１ａｃ  接続管部の接続部
５１ａｄ、１５１ａｄ  第１空気導入口
５１ｂ、１５１ｂ  内壁部
５１ｂｂ  フランジ部
５１ｂｃ、１５１ｂｃ  ノズル口
５１ｂｄ、１５１ｂｄ  第２空気導入口
５１ｂｅ、１５１ｂｅ  導風路
５１ｂｈ、１５１ｂｈ  空気流出口
５２、５２Ｃ、５２Ｄ、１５２  タービンブラシ
５２ａ  軸部
５２ｂ  タービン部
５２ｃ  ブラシ部
５２ｄ  遮蔽板
６１  補助ブラシ
６２  弾性体
６３、６４  内側ブラシ部
Ｆ  被清掃面
Ｐ  軸心
【図１】
2020127634.tif 000003
【図２】
2020127634.tif 000004
【図３】
2020127634.tif 000005
【図４】
2020127634.tif 000006
【図５】
2020127634.tif 000007
【図６】
2020127634.tif 000008
【図７】
2020127634.tif 000009
【図８】
2020127634.tif 000010
【図９】
2020127634.tif 000011
【図１０】
2020127634.tif 000012
【図１１】
2020127634.tif 000013
【図１２】
2020127634.tif 000014